(57)【要約】【課題】  特別な表示装置を新たに設置することなく、部分読み出し撮影モードが選択されていることを表示する。【解決手段】  部分読み出し撮影モードが設定されると、撮影画面の画像読み出し範囲Ａ内にある焦点検出領域の中から撮影光学系の焦点調節を行うために選択された焦点検出領域と、撮影画面内の画像読み出し範囲外Ｂにある焦点検出領域１ｊ、１ｋとを被写体像に重畳して表示する。【選択図】  図４
2006067435.tif 000002
【特許請求の範囲】
【請求項１】
複数の画素により被写体像を撮像する撮像素子と、
前記撮像素子の受光面上に被写体像を結像させる撮影光学系と、
前記撮影光学系の撮影画面の一部に画像読み出し範囲を設定し、前記画像読み出し範囲に対応する前記撮像素子の画素からデータを読み出す部分読み出し撮影モードを設定するモード設定手段と、
前記撮影画面の画像読み出し範囲と画像読み出し範囲外とに複数の焦点検出領域を配置し、各焦点検出領域において前記撮影光学系の焦点調節状態を検出する焦点検出手段と、
前記複数の焦点検出領域の中から手動または自動で選択された焦点検出領域における焦点調節状態に基づいて前記撮影光学系の焦点調節を行う焦点調節手段と、
撮像する被写体像を表示する画像表示手段と、
前記画像表示手段の被写体像に前記各焦点検出領域を重畳して表示する領域表示手段とを備えた電子カメラであって、
前記領域表示手段は、前記モード設定手段により前記部分読み出し撮影モードが設定されると、前記撮影画面の画像読み出し範囲内にある焦点検出領域の中から前記撮影光学系の焦点調節を行うために選択された焦点検出領域と、前記撮影画面内の画像読み出し範囲外にある焦点検出領域とを被写体像に重畳して表示することを特徴とする電子カメラ。
【請求項２】
請求項１に記載の電子カメラにおいて、
前記領域表示手段は、前記撮影画面の画像読み出し範囲内にある前記撮影光学系の焦点調節を行うために選択された焦点検出領域と、前記撮影画面の画像読み出し範囲外にある焦点検出領域とを異なる色で表示することを特徴とする電子カメラ。
【請求項３】
請求項１に記載の電子カメラにおいて、
前記領域表示手段は、前記撮影画面の画像読み出し範囲内の焦点検出領域の中から前記撮影光学系の焦点調節を行うための焦点検出領域が選択された時点から所定時間だけ、前記撮影画面内の画像読み出し範囲外にある焦点検出領域を被写体像に重畳して表示することを特徴とする電子カメラ。
【請求項４】
請求項１に記載の電子カメラにおいて、
前記領域表示手段は、シャッターレリーズボタンが半押しされて前記焦点調節手段による前記撮影光学系の焦点調節が開始された時点から所定時間だけ、前記撮影画面内の画像読み出し範囲外にある焦点検出領域を被写体像に重畳して表示することを特徴とする電子カメラ。
【請求項５】
請求項１〜４のいずれかの項に記載の電子カメラにおいて、
前記領域表示手段は、前記撮影画面内の画像読み出し範囲外にある焦点検出領域を点滅させて表示することを特徴とする電子カメラ。
【発明の詳細な説明】
【技術分野】
【０００１】
本発明は、高速連写を実現するために撮像素子の一部の画素データのみを読み出す部分読み出しモードを備えた電子カメラに関する。
【背景技術】
【０００２】
画素数の多い撮像素子を用いて連写を行う場合に、データを読み出す画素数を制限して全画素の内の一部の画素データのみを読み出して速い駒速を実現することが行われる。このような部分読み出し撮影モードを備えた電子カメラにおいて、特許文献１に開示されるようなファインダー内に画面枠を表示する透過型ＬＣＤを利用して、部分読み出し撮影モード選択時の画素データの読み出し範囲、すなわち撮影範囲を表示することが考えられる。
【０００３】
この出願の発明に関連する先行技術文献としては次のものがある。
【特許文献１】特開平０６−２５８７１２号公報
【発明の開示】
【発明が解決しようとする課題】
【０００４】
しかしながら、上述した方法で部分読み出し撮影モード選択時の撮影範囲を表示する場合には、撮影情報を表示するための透過型ＬＣＤに画面枠を新たに追加して点灯させるか、あるいは新たに別の表示器を設けて表示する必要があり、それらの設置スペースを確保しなければならない上に、コストがかかるという問題がある。
【課題を解決するための手段】
【０００５】
部分読み出し撮影モードが設定されると、撮影画面の画像読み出し範囲内にある焦点検出領域の中から撮影光学系の焦点調節を行うために選択された焦点検出領域と、撮影画面内の画像読み出し範囲外にある焦点検出領域とを被写体像に重畳して表示する。
【発明の効果】
【０００６】
本発明によれば、特別な表示装置を新たに設置することなく、部分読み出し撮影モードが選択されていることを撮影者に確実に報知することができる。
【発明を実施するための最良の形態】
【０００７】
本発明をデジタル一眼レフレックスカメラに適用した一実施の形態を説明する。なお、本発明は一眼レフレックスカメラに限定されず、あらゆる種類の電子カメラに適用することができる。
【０００８】
図１は一実施の形態のデジタル一眼レフレックスカメラの構成を示す図であり、図２は一実施の形態のデジタル一眼レフレックスカメラのファインダー部の横断面図である。また、図３は一実施の形態のカメラの撮影画面を示す図である。
【０００９】
まず、図３において、一実施の形態のカメラは撮影画面内に１１個の焦点検出領域を備えており、各焦点検出領域の位置はマーク１ａ〜１ｋで示される。１１個の焦点検出領域の中から自動選択アルゴリズムにしたがってカメラが自動選択した焦点検出領域、または撮影者が手動選択した焦点検出領域に対応するマークを点灯する。
【００１０】
自動選択または手動選択された焦点検出領域のマークは、ファインダーの被写体像にスーパーインポーズすることによって点灯表示される。図２において、ファインダー部のペンタプリズム３の下の、スクリーン４の上には焦点検出領域表示板５が設けられており、焦点検出領域照射用ＬＥＤ６から照射された光が、スーパーインポーズ用プリズム７およびペンタプリズム３を介して焦点検出領域表示板５に照射され、選択された焦点検出領域のマークが点灯し、選択領域がファインダーの被写体像に重畳して表示される。
【００１１】
この一実施の形態のカメラはまた、撮像素子の全画素のデータを読み出す通常撮影モードの他に、高速連写を実現するために撮像素子の一部の画素のデータを読み出す部分読み出し撮影モードとを備えている。以下、この一実施の形態では高速連写モードを部分読み出し撮影モードと呼ぶ。図３に示す撮影画面内のマーク２ａ〜２ｄは、部分読み出し撮影モードにおける画像の読み出し範囲を表す。部分読み出し撮影モードが設定されると、撮像素子のマーク２ａ〜２ｄで囲まれた範囲の画素からデータを読み出す。なお、部分読み出し範囲マーク２ａ〜２ｄは焦点検出領域表示板５に刻印されているだけで、これらのマーク２ａ〜２ｄに対しては点灯設備を設けておらず、したがって点灯しない。
【００１２】
この一実施の形態では、部分読み出し撮影モードが選択されたことを撮影者に表示するために、専用の表示装置を設けずに、部分読み出し範囲外の焦点検出領域マーク１ｊ、１ｋを利用する。部分読み出し撮影モードが選択されると、図４に示すように、部分読み出し範囲マーク２ａ〜２ｄで囲まれた範囲Ａの画素データが読み出され、斜線で示す非読み出し範囲Ｂの画素データは読み出されない。また、部分読み出し撮影モード選択時には、非読み出し範囲Ｂ内にある２個の焦点検出領域（マーク１ｊと１ｋに対応する領域）が焦点調節領域に選択されることはないから、それらの焦点検出領域に対応するマーク１ｊと１ｋも選択領域を表示するために点灯されることはない。そこで、この一実施の形態では、画素データが読み出されない範囲Ｂ内にあって、部分読み出し撮影モード選択時には焦点調節領域表示用として使用されない焦点検出領域マーク１ｊと１ｋを点灯することによって、部分読み出し撮影モードが選択されたことを撮影者に表示する。
【００１３】
焦点検出領域マーク１ｊと１ｋによる部分読み出し撮影モード選択の表示方法は、種々考えられる。まず、部分読み出し撮影モード選択時に焦点検出領域マーク１ｊと１ｋを同時に点灯して表示する方法がある。この方法によれば、専用の表示手段を設けることなく、部分読み出し撮影モードが選択されていることを確実に撮影者に報知することができる。また、他の表示方法として、連続点灯せずに点滅させるか、あるいはマーク１ｊと１ｋを交互に点灯してもよい。この表示方法によれば、上述した効果に加え、さらにバッテリーの電力消費を節約することができる。
【００１４】
部分読み出し撮影モード選択の他の表示方法として、読み出し範囲Ａ内の焦点検出領域マーク１ａ〜１ｉの表示色と、非読み出し範囲Ｂ内の焦点検出領域マーク１ｊ、１ｋの表示色とを異なる色にする方法がある。これは、焦点検出領域照射用ＬＥＤ６の色を変えることによって実現できる。このようにすれば、部分読み出し撮影モード選択時に非読み出し範囲Ｂ内の焦点検出領域マーク１ｊ、１ｋが点灯し、同時に読み出し範囲Ａ内の選択された焦点検出領域に対応するマーク１ａ〜１ｉのいずれかが点灯しても、点灯色が異なるので選択された焦点検出領域と、部分読み出し撮影モードの選択とを撮影者に確実に認識させることができる。
【００１５】
なお、部分読み出し撮影モード選択時に非読み出し範囲Ｂ内の焦点検出領域マーク１ｊ、１ｋを常に点灯または点滅させておくと、ファインダー内の被写体像が見づらくなり、撮影者にわずらわしさを感じさせることがある。そこで、非読み出し範囲Ｂ内の焦点検出領域マーク１ｊ、１ｋを点灯もしくは点滅させるタイミングを最適なタイミングにする。
【００１６】
撮影者が選択した焦点検出領域において焦点調節を行うシングルＡＦ撮影モードが選択されている場合に、撮影者が焦点検出領域を選択した時点から所定時間だけ、非読み出し範囲Ｂ内の焦点検出領域マーク１ｊと１ｋを点灯または点滅させ、部分読み出し撮影モード選択を表示する。また、複数の焦点検出領域の中から最至近などの所定のアルゴリズムにしたがってカメラが自動的に最適な焦点検出領域を選択して焦点調節を行うダイナミックＡＦ撮影モードが選択されている場合に、いずれかの焦点検出領域が選択された時点から所定時間だけ、非読み出し範囲Ｂ内の焦点検出領域マーク１ｊと１ｉを点灯または点滅させ、部分読み出し撮影モード選択を表示する。これにより、非読み出し範囲Ｂ内の焦点検出領域マーク１ｊと１ｉが常に表示されないので、ファインダー像が見やすくなる上に、バッテリーの電力消費を節約できる。
【００１７】
また、非読み出し範囲Ｂ内の焦点検出領域マーク１ｊ、１ｋの点灯または点滅タイミングとして、レリーズボタンが半押しされて撮影レンズ１１の焦点調節が開始された時点から所定時間だけ、非読み出し範囲Ｂ内の焦点検出領域マーク１ｊと１ｉを点灯または点滅させ、部分読み出し撮影モード選択を表示する。これにより、非読み出し範囲Ｂ内の焦点検出領域マーク１ｊと１ｉが常に表示されないので、ファインダー像が見やすくなる上に、バッテリーの電力消費を節約できる。
【００１８】
次に、図１において、撮影レンズ１１はＣＣＤ１２の受光面上に被写体像を結像し、ＣＣＤ１２は被写体像をアナログ画像信号に変換する。撮像回路１３はＡ／Ｄ変換回路を含み、ＣＣＤ１２から出力されるアナログ画像信号をディジタルデータに変換し、変換後の画像データに対してγ変換やホワイトバランス調整などの画像処理を行う。ドライバー１４はマイクロコンピュータ１５からの指令に応じてモータ１６を駆動制御し、撮影レンズ１１に内蔵されるフォーカスレンズ（不図示）を光軸方向に移動する。
【００１９】
電池１７は電子カメラ内の各部に電力を供給する。ドライバー１９はマイクロコンピュータ１５からの指令に応じてシャッター２０を駆動制御し、シャッター２０はシャッター幕（不図示）を開閉してＣＣＤ１２の遮光と露光を行う。ドライバー２１はマイクロコンピュータ１５からの指令に応じて絞り機構２２を駆動制御し、絞り機構２２は絞り（不図示）を開閉する。ドライバー２３はマイクロコンピュータ１５からの指令に応じてミラー機構２４を駆動制御し、ミラー機構２４はミラー（不図示）のアップ・ダウンを行う。
【００２０】
インターフェイス２５は電子カメラ内のデータをパソコンや別の電子カメラなどの外部機器へ出力（送信）する回路であり、ＲＳ２３２Ｃ、ＵＳＢ、IEEE1394などを用いることができる。ドライバー２６はマイクロコンピュータ１５からの指令により液晶モニター２７を駆動制御し、液晶モニター２７は画像や操作メニューなどを表示する。メモリカード２８はカードコネクター２９を介して電子カメラに着脱される記録媒体であり、画像データファイルや音声データファイルが記録される。
【００２１】
画像記憶メモリ３０は上述した画像処理や後述する圧縮／伸長処理の際に一時的に画像データを格納するバッファーである。圧縮／伸長回路３１は例えばＪＰＥＧなど所定の方式にしたがって画像データを圧縮したり、圧縮された画像データを伸長する。メモリ３２はマイクロコンピュータ１５が各種処理を行う際の一時記憶メモリとして利用される。タイマー３３はマイクロコンピュータ１５によって指定された時間を計時し、タイムアップ信号を出力する。ドライバー３４はマイクロコンピュータ１５からの指令に応じて圧電ブザー３５を駆動制御し、圧電ブザー３５は圧電素子（不図示）を振動させてブザー音を発する。マイクロコンピューター１５は電子カメラにおける各種演算やシーケンス制御を行う。
【００２２】
ドライバー３６はマイクロコンピューター１５からの指令に応じて焦点検出領域照射用ＬＥＤ６を駆動制御し、ＬＥＤ６はダイナミックＡＦ撮影モードで合焦した焦点検出領域、またはシングルＡＦ撮影モードで撮影者に選択された焦点検出領域に対応する焦点検出領域マーク１ａ〜１ｋを点灯する。
【００２３】
メインスイッチ４１はカメラに電源を投入して撮影準備状態にするスイッチである。モード選択スイッチ４２は通常撮影モード、部分読み出し撮影（高速連写）モード、ダイナミックＡＦ撮影モード、シングルＡＦ撮影モード、画像再生モードなどの各種モードを選択するスイッチである。焦点検出領域選択スイッチ４３〜４６は上下左右の方向キースイッチから構成されており、シングルＡＦ撮影モードにおいて撮影者が任意の焦点検出領域を選択するためのスイッチである。シャッターレリーズ半押しスイッチ４７はシャッターレリーズボタン（不図示）が半押しされたときにオンし、シャッターレリーズ全押しスイッチ４８はシャッターレリーズボタンが全押しされたときにオンする。
【００２４】
図５は一実施の形態の撮影動作を示すフローチャートである。このフローチャートにより、一実施の形態の動作を説明する。マイクロコンピューター１５はメインスイッチ４１がオンされると、この撮影動作を開始する。ステップ１においてモード選択スイッチ４２により部分読み出し撮影（高速連写）モードが選択されているか否かを判別し、部分読み出し撮影モードが選択されている場合はステップ２ヘ進み、通常撮影モードが選択されているときはステップ６へ進む。
【００２５】
通常撮影モードが選択されているときは、ステップ６で焦点検出領域が選択されたか否かを判別する。焦点検出領域が選択されているときはステップ７へ進み、選択された焦点検出領域に対応するマーク（１ａ〜１ｋ）をＬＥＤ６により点灯し、選択領域をファインダー像に重畳して表示する。上述したように、すべての焦点検出領域の中から最至近などの所定のアルゴリズムにしたがってカメラが自動的に最適な焦点検出領域を選択して焦点調節を行うダイナミックＡＦ撮影モードが選択されている場合は、この時点ではまだ焦点検出領域が選択されていないので、すべての焦点検出領域マーク１ａ〜１ｋを点灯せず、ファインダー像上に表示しない。一方、撮影者が焦点検出領域選択スイッチ４３〜４６により手動で焦点検出領域を選択するシングルＡＦ撮影モードが選択されている場合には、焦点検出領域照射用ＬＥＤ６により手動で選択された焦点検出領域マーク（１ａ〜１ｋのいずれか）のみを点灯し、選択領域をファインダー像に重畳して表示する。
【００２６】
続くステップ８でレリーズ半押しスイッチ４７がオンしているか否かを判別し、レリーズボタンが半押しされるとステップ９へ進む。ステップ９では選択された焦点検出領域に対応するマーク（１ａ〜１ｋ）をＬＥＤ６により点灯し、選択領域をファインダー像に重畳して表示する。このとき、ダイナミックＡＦ撮影モードが選択されている場合は、１１点の焦点検出領域の中から自動選択された焦点検出領域に対応するマーク（１ａ〜１ｋのいずれか）のみを点灯し、選択領域をファインダー像に重畳して表示する。一方、シングルＡＦ撮影モードが選択されている場合は、撮影者が選択した焦点検出領域に対応するマーク（１ａ〜１ｋのいずれか）のみを点灯し、選択領域をファインダー像に重畳して表示する。
【００２７】
次にステップ１０へ進み、レリーズ全押しスイッチ４８がオンしているか否かを判別し、レリーズボタンが全押しされるとステップ１１へ進む。ステップ１１では図３に示す撮影画面の全範囲に対応する画素から撮像データを読み出してメモリカード２８に記録する。なお、撮像画像に対する処理の詳細については、本発明と直接関係がないので説明を省略する。
【００２８】
一方、部分読み出し撮影（高速連写）モードが選択されている場合は、ステップ２で焦点検出領域が選択されているか否かを判別し、焦点検出領域が選択されている場合はステップ３へ進む。ステップ３では選択された焦点検出領域を表示するとともに、部分読み出し撮影モードが選択されていることを表示する。このとき、ダイナミックＡＦ撮影モードが選択されている場合は、この時点ではまだ焦点検出領域が選択されていないので、すべての焦点検出領域マーク１ａ〜１ｉを点灯せず、ファインダー像上に表示しない。一方、シングルＡＦ撮影モードが選択されている場合は、撮影者により選択された焦点検出領域に対応するマーク（１ａ〜１ｋのいずれか）のみをＬＥＤ６により点灯し、選択領域をファインダー像に重畳して表示する。また同時に、図４に示す非読み出し範囲Ｂ内の焦点検出領域マーク１ｊと１ｋを点灯し、被写体像に重畳表示して部分読み出し撮影モードが選択されていることを表示する。なお、焦点検出領域マーク１ｊと１ｋの点灯による部分読み出し撮影モード選択の表示方法は、上述したような種々の方法がある。
【００２９】
続くステップ４でレリーズ半押しスイッチ７がオンしているか否かを判別し、レリーズボタンが半押しされるとステップ５へ進む。ステップ５では選択された焦点検出領域を表示するとともに、部分読み出し撮影モードが選択されていることを表示する。すなわち、ダイナミックＡＦ撮影モードが選択されている場合は、図４に示す部分読み出し範囲Ａ内の９個の焦点検出領域の中から自動選択された焦点検出領域に対応するマーク（１ａ〜１ｉのいずれか）のみを点灯し、選択領域を被写体像に重畳して表示する。一方、シングルＡＦ撮影モードが選択されている場合は、撮影者が選択した焦点検出領域に対応するマーク（１ａ〜１ｋのいずれか）のみを点灯し、選択領域を被写体像に重畳して表示する。また同時に、図４に示す非読み出し範囲Ｂ内の焦点検出領域マーク１ｊと１ｋを点灯し、部分読み出し撮影モードが選択されていることを表示する。なお、焦点検出領域マーク１ｊと１ｋの点灯による部分読み出し撮影モード選択の表示方法は、上述したような種々の方法がある。
【００３０】
次にステップ１０へ進み、レリーズ全押しスイッチ４８がオンしているか否かを判別し、レリーズボタンが全押しされるとステップ１１へ進む。ステップ１１では図４に示す撮影画面の読み出し範囲Ａ内の画素から撮像データを読み出してメモリカード２８に記録する。なお、撮像画像に対する処理の詳細については、本発明と直接関係がないので説明を省略する。
【００３１】
このように、一実施の形態によれば、分読み出し撮影モードが設定されると、撮影画面の画像読み出し範囲内にある焦点検出領域の中から撮影レンズの焦点調節を行うために選択された焦点検出領域と、撮影画面内の画像読み出し範囲外にある焦点検出領域とを被写体像に重畳して表示するようにしたので、特別な表示装置を新たに設置することなく、部分読み出し撮影モードが選択されていることを撮影者に確実に報知することができる。
【００３２】
特許請求の範囲の構成要素と一実施の形態の構成要素との対応関係は次の通りである。すなわち、ＣＣＤ１２が撮像素子を、撮影レンズ１１が撮影光学系を、モード選択スイッチ４２がモード設定手段を、マイクロコンピューター１５、撮像回路１３、ドライバー１４およびモーター１６が焦点検出手段および焦点調節手段を、ファインダーが画像表示手段を、焦点検出領域照射用ＬＥＤ６、スーパーインポーズ用プリズム７および焦点検出領域表示板５が領域表示手段をそれぞれ構成する。なお、本発明の特徴的な機能を損なわない限り、各構成要素は上記構成に限定されるものではない。
【００３３】
なお、上述した一実施の形態では１１個の焦点検出領域を備えたカメラを例に上げて説明したが、焦点検出領域の数は上述した一実施の形態に限定されない。また、部分読み出し範囲を示すマーク２ａ〜２ｄは、焦点検出領域表示板５上に刻印せず、スクリーン４上に刻印してもよい。さらに、上述した一実施の形態ではファインダー内に焦点検出領域と部分読み出し撮影モード選択とを表示する例を示したが、ＴＦＴなどで構成されるモニター上に焦点検出領域と部分読み出し撮影モード選択とを表示するようにしてもよい。
【図面の簡単な説明】
【００３４】
【図１】一実施の形態のデジタル一眼レフレックスカメラの構成を示す図である。
【図２】一実施の形態のデジタル一眼レフレックスカメラのファインダー部の横断面図である。
【図３】一実施の形態の撮影画面内の焦点検出領域マークと部分読み出し範囲マークを示す図である。
【図４】焦点検出領域マークにより部分読み出し撮影モード選択を表示する一実施の形態の方法を説明する図である。
【図５】一実施の形態の撮影動作を示すフローチャートである。
【符号の説明】
【００３５】
１ａ〜１ｋ  焦点検出領域マーク
２ａ〜２ｄ  部分読み出し範囲マーク
３  ペンタプリズム
４  スクリーン
５  焦点検出領域表示板
６  焦点検出領域照射用ＬＥＤ
７  スーパーインポーズ用プリズム
１１  撮影レンズ
１２  ＣＣＤ（撮像素子）
４１  メインスイッチ
４２  モード選択スイッチ
４３〜４６  焦点検出領域選択スイッチ
４７  レリーズ半押しスイッチ
４８  レリーズ全押しスイッチ
【図１】
2006067435.tif 000003
【図２】
2006067435.tif 000004
【図３】
2006067435.tif 000005
【図４】
2006067435.tif 000006
【図５】
2006067435.tif 000007